(57)【要約】【課題】  貼り付けゴムフィルムを持つシリコンブラジャーを提供する。【解決手段】  一対のシリコンカップ１、および連結背帯２を備え、カップ１と背帯２との間に一対の肩帯６を接続し、シリコンカップ１に予め単層のクローズドゴムフィルム１１を貼り付けて、クローズドゴムフィルムの１１両側、中央、上端にそれぞれ連結背帯２、中央ロック部３、上端ロック部４を熱融解方式で接続し、シリコンカップ１に、クローズドゴムフィルム１１があるので乳房の肌や皮膚に接触しても過敏にならず、背帯２、肩帯６の補助支持で安定性が良く、シリコンカップ１の滑り落ち、脱落による困難を避け、優れた隠し効果、美観をもつ効果もある貼り付けゴムフィルムを持つシリコンブラジャーである。【選択図】    図１
0003103837.tif 000002
【実用新案登録請求の範囲】
【請求項１】
一対のシリコンカップおよび連結背帯を備え、シリコンカップは一対に設置され、予め各シリコンカップに単層の緊密に貼り付けるクローズドゴムフィルムが設けられ、クローズドゴムフィルムの両側、中央、上端にそれぞれ連結の背帯、中央ロック部、上端ロック部が熱融解方式で接続されており、中央ロック部を経由して二つのカップは一対にロックされていることを特徴とする貼り付けゴムフィルムを持つシリコンブラジャー。
【請求項２】
連結背帯は選定する位置にそれぞれロック部が設けられ、シリコンカップと連結背帯との間に一対の肩帯を接続可能であることを特徴とする請求項１記載に記載の貼り付けゴムフィルムを持つシリコンブラジャー。
【請求項３】
中央ロック部は自在にロック可能な合わせボタンを配置することを特徴とする請求項１記載の貼り付けゴムフィルムを持つシリコンブラジャー。
【請求項４】
連結背帯、肩帯は皆、透明の薄片状となるように作られることを特徴とする請求項１記載の貼り付けゴムフィルムを持つシリコンブラジャー。
【請求項５】
連結背帯には、一つ又は一つ以上の８字形のボタンを貫通して設置することを特徴とする請求項１記載の貼り付けゴムフィルムを持つシリコンブラジャー。
【考案の詳細な説明】
【技術分野】
【０００１】
本考案は貼り付けゴムフィルムを持つシリコンブラジャーに関するものであり、シリコンカップに単層のクローズドゴムフィルムを貼り付け、クローズドゴムフィルムの両側、中央、上端にそれぞれ連結背帯、中央ロック部、上端ロック部を熱融解方式で接続し、カップと背帯との間に、一対の肩帯をロック、接続するというものを指す。そしてブラジャーを着ると、シリコンカップと乳房の肌、皮膚との直接接触を隔離するのに有効的であるばかりでなく、安定しかつ丈夫に隠し、快適で、美観に優れているなどの利点もある。
【背景技術】
【０００２】
従来から既存のブラジャーは、女性乳房を支持しまた美化を提供し、快適さおよび優れた美観が求められている。例えば、一般の既存の布面のブラジャーの構造は、一対の連結した布面カップ、一対の背帯、一対の肩帯を備える。カップの中に別にスポンジパッド、水袋、シリコンパッドを敷く。その他、既存の布面のブラジャーの構造には、肩帯を採用しない設計、変換式肩帯の設計もある。全体的にいうと、布面のブラジャーは優れた布の材質、スタイル、色彩の変化、外観が綺麗にピンとしているという効果を重視している。
【０００３】
しかし、着たあとで外在の着物に明らかにカップの輪郭を形成し、肩帯、背帯の痕が露出する。
そのために現今、シリコンを主体とした無帯式の隠しブラジャーが開発されている。無帯式の隠しブラジャーはシリコンで作られ、優れた軟らかい弾性を持ち、隠し美胸の効果が遂げられる。シリコンカップの付着特性を経由して、ユーザは直接シリコンカップを乳房に貼り合わせ、位置決めをする。
【０００４】
しかしながら、前記の無帯式の隠しブラジャーは隠し美胸の効果、軟らかい快適性は具有するが、乳房に直接に貼り合うので安定性に欠け、滑りずれる可能性がある。特に、上下に跳ねたあとや、又は付着性が弱まったあとで脱落の恐れがあるので、ユーザが安心して使用できない。況して、シリコンの取材が不揃いなため充分な付着力を提供することができない。劣悪なものになると、シリコンが長い間乳房に接触することによって常に肌や皮膚が過敏になる。それら欠陥により、理想ではないと判断できる。
【考案の開示】
【考案が解決しようとする課題】
【０００５】
したがって、本考案の主な目的は貼り付けゴムフィルムを持つシリコンブラジャーを提供することにある。
【課題を解決するための手段】
【０００６】
上記課題を解決するための本考案の貼り付けゴムフィルムを持つシリコンブラジャーの組成は、一対のシリコンカップ、および連結背帯を備える。カップと背帯との間に、一対の肩帯を接続する。シリコンカップに予め単層のクローズドゴムフィルムを貼り付けて、クローズドゴムフィルムの両側、中央、上端にそれぞれ連結背帯、中央ロック部、上端ロック部を熱融解方式で接続する。シリコンカップにクローズドゴムフィルムがあるので乳房の肌や皮膚に接触しても過敏にならず、背帯、肩帯の補助支持で安定性もよい。また、シリコンカップの滑り落ち、脱落による困難を避け、優れた隠し効果、美観をもつという効果もある。
【考案を実施するための最良の形態】
【０００７】
本考案の目的、特徴および効果などを以下にさらに具体的な実施例に図面をあわせて詳しく説明する。
まずは図１、および図２を参照する。本考案の一実施例による貼り付けゴムフィルムを持つシリコンブラジャーは、シリコンカップ１、および連結背帯２を備える。
【０００８】
シリコンカップ１は一対に設置される。予め各シリコンカップ１に、単層の緊密貼り付けの無害材質のクローズドゴムフィルム１１を配置する。クローズドゴムフィルム１１の両側、中央、上端にそれぞれ連結背帯２、中央ロック部３、および上端ロック部４を熱融解方式で接続する。中央ロック部３で、二つのシリコンカップ１を一対にロックする。
【０００９】
連結背帯２は熱融解方式で、シリコンカップ１の両側に接続される。また、連結背帯２には一つ又は一つ以上の８字形のボタン５を貫通して設置する。そして、自由に連結背帯２の弛み程度を調整する。
上述の連結背帯２は選定された位置にそれぞれロック部２１を設けるので、シリコンカップ１と連結背帯２との間に一対の肩帯６を接続することができる。そして構成されるシリコンブラジャーは全体から見ると、コンパクトで利便なだけでなく、無害材質のクローズドゴムフィルム１１を経由してシリコン材質と乳房とを隔離し、直接に接触して肌や皮膚が過敏になることを避ける。また、着るときに、より安定し、丈夫でかつ安全になり、シリコンカップ１のずれ、滑り落ち、脱落などの困難が生じない。さらに、優れた隠し効果、および美観を持つ効果もある。
【００１０】
図３を参照する。前記の中央ロック部３は自在にロックできる合わせボタン３１、３２なので、図４に示すように、シリコンカップ１を使う場合に利便に着脱できる。合わせボタン３１、３２の実施はピンの挿入形態を採用してもよいし、ほかに相互にロック、連結するコンポネットを採用してもよい。
【００１１】
本考案の実施例により、前記の連結背帯２、肩帯６は皆、透明の薄片状となるので、着たあとに隠し効果がある。外在の着物には、明らかな帯状の痕を露出させない。その他本考案の製品を使う場合に、女性の乳首の敏感部位を保護するために、シリコンカップ１の中央凹入部に予め棉布又はほかの適当な材質の保護薄片を敷く。保護薄片を乳首部位にかぶせるので、理想的な保護効果を達成するということが解明できる。
【００１２】
前記の肩帯６は必要なときにはほかの飾り肩帯で取り換えてもよい。肩帯６の両端に既存のフックリング６１を採用する以外、弛み程度を調整するような８字形ボタン６２を採用してもよい。既存のものなので詳しい説明を省略する。
【００１３】
図５を参照する。無害材質のクローズドゴムフィルム１１と連結背帯２、中央ロック部３、上端ロック部４との結合が熱融解方式で快速に粘着して接続されるので、その実施は極めて利便で、一体化され、痕がないという接合効果も発揮される。
【００１４】
以上の内容をまとめると、本考案はシリコンブラジャーの全体組成を明らかに改良することが分かる。その組成形態も従来から既存の布面式のブラジャー又は一般のシリコンブラジャーとまったく異なる。
【００１５】
本考案の主な目的は貼り付けゴムフィルムを持つシリコンブラジャーの設計を提供することにある。主に一対シリコンカップ、連結背帯を備える。特に、シリコンカップに、予め単層のクローズドゴムフィルムを貼り付けて、クローズドゴムフィルムの両側、中央、上端にそれぞれ連結背帯、中央ロック部、上端ロック部を熱融解方式で接続する。カップと背帯との間に、一対肩帯を接続する。そうすると、構成したシリコンブラジャーはコンパクトで利便であり、無害材質のシリコンカップにクローズドゴムフィルムがシリコンと乳房との接触を隔離するので、肌や皮膚の過敏を避けることができる。着るときに、より安定し、丈夫でかつ安全であり、シリコンカップのずれ、滑り落ち、脱落などの困難が生じない。また、優れた隠し効果、美観に優れているという効果もある。
【００１６】
本考案のもう一つの目的は貼り付けゴムフィルムを持つシリコンブラジャーの設計を提供することにある。中央ロック部は自在にロックできる合わせボタンなので、シリコンカップを使う場合に利便に着脱できる。
【００１７】
本考案のもう一つの目的は貼り付けゴムフィルムを持つシリコンブラジャーの設計を提供することにある。連結背帯には、８字形のボタンを貫通して設置する。そして、簡易かつ快速に連結背帯の弛み程度が調整できるので、痩せた人、太った人にも適用できる。
【００１８】
本考案のもう一つの目的は貼り付けゴムフィルムを持つシリコンブラジャーの設計を提供することにある。連結背帯、肩帯は皆、透明の薄片状になるので、着たあとで隠し効果がある。外在の着物には、明らかな帯状の痕を露出させない。
【図面の簡単な説明】
【００１９】
【図１】本考案の一実施例によるで貼り付けゴムフィルムを持つシリコンブラジャーを示す外観斜視図である。
【図２】本考案の一実施例による貼り付けゴムフィルムを持つシリコンブラジャーの分解斜視図である。
【図３】本考案の一実施例による貼り付けゴムフィルムを持つシリコンブラジャーの中央ロック部に合わせるボタンを外す状態を示す分解斜視図である。
【図４】図３のボタンをロックする状態を示す外観斜視図である。
【図５】本考案の一実施例による貼り付けゴムフィルムを持つシリコンブラジャーを示す正面図である。
【図６】本考案の一実施例による貼り付けゴムフィルムを持つシリコンブラジャーを示す断面図である。
【図７】本考案の一実施例による貼り付けゴムフィルムを持つシリコンブラジャーを使用している状態を示す外観斜視図である。
【符号の説明】
【００２０】
１  シリコンカップ、２  連結背帯、１１  クローズドゴムフィルム、３  中央ロック部、４  上端ロック部、５、６２  ８字形のボタン、２１  ロック部、６  肩帯、３１、３２  合わせボタン、６１  フックリング
【図１】
0003103837.tif 000003
【図２】
0003103837.tif 000004
【図３】
0003103837.tif 000005
【図４】
0003103837.tif 000006
【図５】
0003103837.tif 000007
【図６】
0003103837.tif 000008
【図７】
0003103837.tif 000009